(57)【要約】【課題】投影面の歪みを抑制すること。【解決手段】表示装置１は、基部２と、表面が投影面であり、基部２に一辺が取り付けられ、基部２と係合することにより、基部２を底面とし頂部３５が開口した中空の角錐台形状の側面を形成する複数の側部３１〜３４と、頂部３５に配置され、側部３１〜３４の歪みに対する応力を発揮する補強部３６と、を有する。【選択図】図１
2016114875.tif 000002
【特許請求の範囲】
【請求項１】
基部と、
表面が投影面であり、前記基部に一辺が取り付けられ、前記基部と係合することにより、前記基部を底面とし頂部が開口した中空の角錐台形状の側面を形成する複数の側部と、
前記頂部に配置され、前記側部の歪みに対する応力を発揮する補強部と、
を有することを特徴とする表示装置。
【請求項２】
前記補強部は、前記側部の頂部に設けられ、前記側部の形状を錐体面としたときの頂点を共有し、相似に縮小した錐体の一部であり、前記側部の投影面とは反対側に折り曲げられている請求項１に記載の表示装置。
【請求項３】
基部と、
前記基部に一辺が取り付けられ、前記基部と係合することにより、前記基部を底面とした角錐または角錐台の側面を形成する複数の側部と、
前記側部の表面にそれぞれ設けられた投影面と、
を有し、
前記基部は辺に沿って被係合部を備え、前記側部の前記基部と係合する箇所に設けられた係合部と係合することを特徴とする表示装置。
【請求項４】
前記被係合部は、前記基部の辺に沿って設けられた開口部であり、
前記係合部は、前記開口部の開口に対応して設けられる突起であり、
前記突起が前記開口部の開口に挿入されて折り返されることで前記側部が前記基部に取り付けられている請求項３に記載の表示装置。
【請求項５】
前記被係合部は前記基部の辺に沿って複数箇所配置される切り欠きであり、
前記係合部は、前記切り欠きに対応して設けられる突起であり、
前記突起が前記切り欠きに挿入されて折り返されることで前記側部が前記基部に取り付けられている請求項３に記載の表示装置。
【請求項６】
前記基部の辺のほぼ中央部に切り欠きが配置されている請求項５に記載の表示装置。
【発明の詳細な説明】
【技術分野】
【０００１】
本発明は表示装置に関する。
【背景技術】
【０００２】
表示された映像を、その周囲を回りながら見ていくと、表示対象の異なる側面を見ることができて立体視を可能とした表示装置が知られている。
図１４、図１５は、表示装置の一例を説明する図である。
【０００３】
図１４に示す画像８１〜８４は、９０度間隔の４つの異なる角度から対象物を記録したものである。この画像８１〜８４は、例えば図示しない液晶ディスプレイ等に表示されている。
図１５に示すように、表示装置９０は、４つの半透明ミラーをピラミッド状に接続して形成した投影面９１〜９４を有している。
【０００４】
表示装置９０の表示面９５に画像８１〜８４を表示すると、表示装置９０は、２次元ディスプレイが提供する２次元画像を擬似３次元（擬似３Ｄ）画像に変換する。
【０００５】
具体的には、焦点は、表示面にあって、そのミラー面自体にはない。ミラー面は半透明であるため、観察者はピラミッドの内部を見ることができる。すなわちミラー面を観察する観察者は、ピラミッドの内部を見ると同時にミラー面の上方にある液晶ディスプレイに表示される画像８１〜８４の反射を見る。液晶ディスプレイ上の画像８１〜８４はピラミッド内部の情景と結合するので、観察者は表示対象物がピラミッド内部に置かれた物理的物体のように強く感じる傾向がある。
【先行技術文献】
【特許文献】
【０００６】
【特許文献１】特表２００８−５２５８５４号公報
【特許文献２】特許第４２６７６６８号公報
【発明の概要】
【発明が解決しようとする課題】
【０００７】
ここで、例えば投影面９１〜９４が、例えば可撓性を有し、たわむ可能性のある素材で形成されている場合を考える。
画像８１〜８４を投影面９１〜９４に投影した場合に、画像８１〜８４が歪まないのが好ましい。
しかしながら、投影面９１〜９４の折り目や投影面９１〜９４の自重の影響により、歪みが生じ易い。
１つの側面では、本発明は、投影面の歪みを抑制することを目的とする。
【課題を解決するための手段】
【０００８】
上記目的を達成するために、開示の表示装置が提供される。この表示装置は、基部と、表面が投影面であり、基部に一辺が取り付けられ、基部と係合することにより、基部を底面とし頂部が開口した中空の角錐台形状の側面を形成する複数の側部と、頂部に配置され、側部の歪みに対する応力を発揮する補強部と、を有する。
【発明の効果】
【０００９】
１態様では、投影面の歪みを抑制することができる。
【図面の簡単な説明】
【００１０】
【図１】第１の実施の形態の表示装置を示す斜視図である。
【図２】第１の実施の形態の表示装置の使用例を説明する図である。
【図３】第１の実施の形態の表示装置に表示される虚像を説明する図である。
【図４】第１の実施の形態の表示装置の裏面を示す図である。
【図５】第１の実施の形態の表示装置の組立方法の一例を説明する図である。
【図６】第１の実施の形態の表示装置の組立方法の一例を説明する図である。
【図７】変形例の表示装置を説明する図である。
【図８】第２の実施の形態の表示装置を示す斜視図である。
【図９】第２の実施の形態の表示装置の裏面を示す図である。
【図１０】第２の実施の形態の表示装置の組立方法の一例を説明する図である。
【図１１】第２の実施の形態の表示装置の組立方法の一例を説明する図である。
【図１２】第３の実施の形態の表示装置を示す斜視図である。
【図１３】第４の実施の形態の表示装置を示す斜視図である。
【図１４】表示装置の一例を説明する図である。
【図１５】表示装置の一例を説明する図である。
【発明を実施するための形態】
【００１１】
以下、実施の形態の表示装置を、図面を参照して詳細に説明する。
＜第１の実施の形態＞
図１は、第１の実施の形態の表示装置を示す図である。図１において、紙面上側を「上」、紙面下側を「下」と言う。
第１の実施の形態の表示装置１は、基部２と、構造体３と、透明な箱体４とを備えている。
【００１２】
基部２は、表示装置１の土台となる部分であり、各辺にそれぞれ切り欠き部２１が一定間隔に設けられた略正方形状をなしている。図１では、基部２の各辺のそれぞれの端部および中央部の３箇所に切り欠き部２１が設けられている。基部２には、構造体３と箱体４とが設置されている。
【００１３】
構造体３は、それぞれが投射面（投影面）を備え、台形状をなし、等しい形状の４つの側部３１〜３４を有している。側部３１〜３４は、それぞれ光を一部透過する透過素材で形成されている。側部３１〜３４の各上辺により、四角形に開口した頂部３５が形成されている。
側部３１〜３４の底辺により囲まれた基部２の領域と、台形状をなす側部３１〜３４とにより、頂部３５が開口した中空の四角錐台形状をなしている。
なお、基部２と側部３１〜３４のなす角度αは、一例として４５°〜６０°程度である。
なお、図１では側部の数は４つとしたが、これに限定されず、側部の数は３つもしくは５つ以上であってもよい。
【００１４】
頂部３５には、側部３１〜３４の歪みに対する応力を発揮し、頂部３５の形状を四角形に保持する補強部３６が設けられている。補強部３６は、複数の三角形状をなす部材の集合体であり、側部３１〜３４と一体的に形成されたものである。この補強部３６は、頂部３５の辺から内側に折り返される形で構造体３０の内部空間側に位置している。この補強部３６は、頂部３５の歪みに対する応力を発揮する。
【００１５】
箱体４は、基部２に取り付けられており、側部３１〜３４全体を覆っている。具体的には、箱体４の底辺４１〜４４には、それぞれ切り欠き部２１に対応する形状の突起４５が設けられている。各突起４５が対応する切り欠き部２１に係合することにより、箱体４が基部２に取り付けられている。
箱体４が基部２に取り付けられた状態で、頂部３５と箱体４との間には、所定の間隙が設けられていてもよいし、頂部３５と箱体４とが接触していてもよい。
次に、表示装置１の使用例を説明する。
図２は、第１の実施の形態の表示装置の使用例を説明する図である。
図２（ａ）に示すように、表示装置１を使用する観察者（ユーザ）は、箱体４の面４６に、ディスプレイを備える電子機器１０を載置する。
【００１６】
ディスプレイとしては、ＬＣＤ（Liquid Crystal Display）等が挙げられる。また、ディスプレイを備えた電子機器１０としては、例えば、携帯電話やスマートホン、タブレット型端末機器等が挙げられる。
図２（ｂ）は、ディスプレイに表示される画像の一例を説明する図である。
【００１７】
電子機器１０のディスプレイに表示されている画像１１〜１４は、９０度間隔の４つの異なる角度から表示対象物（図２では人物）を表示したものである。画像１１〜１４は、対角線の頂点である頂部１５を基準にして、画像１１と画像１３、画像１２と画像１４とが対向する位置に配置されている。なお、本実施の形態ではディスプレイ１０が表示する画像の一例として静止画像を挙げたが、動画像であってもよい。
【００１８】
観察者が虚像を観察する際には、箱体４の中央部に頂部１５が位置するように、ディスプレイを箱体４上に載置する。これにより、頂部３５の開口の中心部に一致する位置（もしくはこの近傍）に頂部１５が配置され、画像１１〜１４が側部３１〜３４の投影面に投影される。
表示装置１は、ディスプレイが投射した画像を、側部３１〜３４を介して表示装置１の内部に虚像として結像させる。
図３は、第１の実施の形態の表示装置に表示される虚像を説明する図である。なお、図３では、電子機器１０の図示を省略している。
【００１９】
前述したように、側部３１〜３４は、それぞれ光を一部透過する透過素材で形成されている。このため、基部２と構造体３とにより形成される内部空間には、側部３１〜３４それぞれの投影面に対応して立体的な虚像が生成される。虚像は、側部３１〜３４の投影面を介して観察することが可能となる。なお、図３では、説明を分かり易くするために、表示装置１の外部に４つの虚像Ｖ１〜Ｖ４を示しているが、これは虚像の見え方を説明するものであり、実際に表示装置１の外部に虚像Ｖ１〜Ｖ４が表れるものではない。
例えば、観察者が表示装置１の側部３１の正面に位置する場合、側部３１の投影面を介して画像（正面図）１１に対応する虚像Ｖ１の観察が可能となる。
【００２０】
同様に、観察者が側部３２、３４の正面に位置する場合、虚像（側面図）Ｖ２、Ｖ３の観察が可能となる。観察者が側部３３の正面に位置する場合、虚像（背面図）Ｖ４の観察が可能となる。
次に、基部２と側部３１〜３４の組立状態を説明する。
図４は、第１の実施の形態の表示装置の裏面を示す図である。
【００２１】
側部３１〜３４の下辺（基部２側の辺）に対応する基部２の部位には、それぞれ開口部２２〜２５が配置されている。本実施の形態では、例えば開口部２２の横幅Ｗ１は、側部３１の下辺の幅と同じかそれよりも若干小さく形成されている。
【００２２】
側部３１〜３４の下辺には、これら下辺に沿って設けられ、それぞれ開口部２２〜２５の横幅に対してやや小さい横幅を備える突起５１〜５４が設けられている。
この突起５１〜５４が開口部２２〜２５の開口を通過し、基部２の内側に折り曲げられている。これにより、側部３１〜３４が基部２により支持されている。
【００２３】
この表示装置１によれば、側部３１〜３４の下辺のほぼ全ての箇所が基部２により支持される。また、側部３１〜３４の上辺が補強部３６により支持される。これにより、側部３１〜３４の投影面の歪みを抑制することができる。従って、虚像の歪みを抑制することができる。
【００２４】
なお、本実施の形態では、突起５１〜５４が開口部２２〜２５の開口を通過し、基部２の内側に折り曲げられている例を例示した。しかし、これに限らず、突起５１〜５４が基部２の内側に差し込まれたまま、折り曲げられていなくてもよい。
＜表示装置の組立方法＞
次に、表示装置１の組立方法の一例を説明する。
図５および図６は、第１の実施の形態の表示装置の組立方法の一例を説明する図である。
以下、表示装置１の組立方法の一例を説明するが、組立順序は一例であり、下記の説明に限定されるものではない。
【００２５】
まず、図５に示すように、基部２と、構造体３０と、構造体４０とを用意する。構造体３０は、組み立てることにより構造体３となるものであり、切り込み部３０ａとガイドライン３０ｂ、３０ｃとが設けられている。なお、ガイドライン３０ｂは無くてもよい。構造体４０は組み立てることにより箱体４となる。なお、図５において、図１〜図４と同じ箇所には同じ符号を付している。
まず、表示装置１を組み立てる者（組立者）は、構造体３０に設けられている突起５１〜５４を軽く山折りする。
次に、組立者は、ガイドライン３０ｂに沿って構造体３０の一部を山折りで内側（外部から隠れる側）に折り曲げる。
次に、組立者は、ガイドライン３０ｃに沿って構造体３０を山折りする。
次に、組立者は、構造体３０の辺３０ｄに設けられた接着部３０ｅに接着剤を塗布することにより、辺３０ｄと辺３０ｆとを接着する。
【００２６】
これにより、側部３１〜３４、頂部３５、および補強部３６が形成された構造体３０ができあがる。このように、補強部３６は、側部３１〜３４の頂部に設けられ、側部３１〜３４の形状を錐体面としたときの頂点を共有し、相似に縮小した錐体の一部で形成される。なお、補強部３６の形状は、図示のものに限定されず、補強部３６と同等の機能を発揮し得る別の形状であってもよい。
【００２７】
次に、図６に示すように、組立者は、突起５１〜５４と開口部２２〜２５の位置を合わせる。そして、組立者は、側部３１〜３４の下辺が基部２に接触するまで突起５１〜５４を開口部２２〜２５の開口に差し込む。その後、組立者は、差し込んだ突起５１〜５４を基部２の中央方向に折り曲げる。
【００２８】
次に、組立者は、構造体４０の辺４１〜４４を面４６に対し９０度に折り曲げることにより箱体４を作成する。そして、突起４５を切り欠き部２１に差し込む。これにより表示装置１を組み立てることができる。
【００２９】
なお、組立者は、接着剤を用いて補強部３６を側部３１〜３４に接着してもよい。また、切り込み部３０ａの裏面に両面テープを貼り付けておき、ガイドライン３０ｂに沿って構造体３０の一部を山折りで内側に折り曲げる際に両面テープを剥がして側部３１〜３４に押しつけることにより補強部３６を側部３１〜３４に貼り付けるようにしてもよい。
【００３０】
本実施の形態の表示装置１によれば、ガイドライン３０ｃを折り曲げることにより側部３１〜３４を形成する場合であっても、基部２、および補強部３６により側部３１〜３４が支持される。これにより、側部３１〜３４の投影面の歪みを抑制することができる。
＜変形例＞
次に、第１の実施の形態の表示装置の変形例を説明する。
図７は、変形例の表示装置を説明する図である。
【００３１】
図１では、補強部３６が構造体３０の内部空間側に位置している例を例示した。しかし、図７に示す表示装置１は、頂部３５に形成された開口部を補強部３６が覆い隠すようになっている。この補強部３６は、箱体４の面４６によって上方向（頂部３５の辺から内側に折った補強部３６が戻ろうとする方向）への移動が規制されている。
このような補強部３６の構造であっても、補強部３６は頂部３５の歪みに対する応力を発揮する。
【００３２】
また、このような補強部３６の構造をとることにより、ディスプレイが投射した画像を表示装置１の内部に虚像として結像させた場合においても補強部３６が虚像に写り込むことを抑制することができる。
＜第２の実施の形態＞
次に、第２の実施の形態の表示装置について説明する。
以下、第２の実施の形態の表示装置について、前述した第１の実施の形態との相違点を中心に説明し、同様の事項については、その説明を省略する。
第２の実施の形態の表示装置１ａは、基部および構造体の形状が、表示装置１とは異なっている。
図８は、第２の実施の形態の表示装置を示す斜視図である。
第２の実施の形態の表示装置１ａは、基部２ａと、構造体６と、箱体４とを備えている。
基部２ａの形状および大きさは、開口部２２〜２５が設けられていないこと以外は基部２と同じである。
構造体６の側部６１〜６４の下辺の長さは、第１の実施の形態の構造体３の側部３１〜３４の下辺の長さより若干大きく形成されている。
図９は、第２の実施の形態の表示装置の裏面を示す図である。
側部６１〜６４の下辺には、それぞれ切り欠き部２１に対応する形状の突起６６が設けられている。
【００３３】
各突起６６が対応する切り欠き部２１の切り欠き内に配置され、基部２の内側に折り曲げられている。これにより、側部６１〜６４が基部２により支持されている。
【００３４】
ここで、この突起６６の側部６１〜６４の下辺側（基端側）の幅Ｗ２は、切り欠き部２１の底辺の幅Ｗ３の大きさとほぼ同じか若干小さく形成されている。また、突起６６の下辺とは反対側（先端側）の幅Ｗ４は、底辺の幅Ｗ３の大きさより若干大きく形成されている。これにより、突起６６が切り欠き部２１から離脱することを抑制している。
次に、第２の実施の形態の表示装置１ａの組立方法を説明する。
図１０および図１１は、第２の実施の形態の表示装置の組立方法の一例を説明する図である。
【００３５】
図１０に示すように、基部２ａと、構造体６０と、構造体４０とを用意する。構造体６０は、組み立てることにより構造体６となるものであり、切り込み部３０ａとガイドライン３０ｂ、３０ｃとが設けられている。
以下の説明では、表示装置１の組立方法と異なる部分を説明する。
【００３６】
図１１に示すように、組立者は、突起６６の位置と切り欠き部２１の位置を合わせる。そして、組立者は、突起６６の先端側が切り欠き部２１に接触しないように各突起６６を軽く外側に反らせて切り欠き部２１の外側を通過させて各突起６６の基端側を切り欠き部２１の底部に配置する。その後、各突起６６を基部２ａの中央方向に折り曲げる。
【００３７】
次に、図示していないが、組立者は、構造体４０の辺４１〜４４を面４６に対し９０度に折り曲げることにより箱体４を作成する。そして、突起４５を切り欠き部２１に差し込む。これにより表示装置１ａを組み立てることができる。
第２の実施の形態の表示装置１ａによれば、第１の実施の形態の表示装置１と同様の効果が得られる。
＜第３の実施の形態＞
次に、第３の実施の形態の表示装置について説明する。
以下、第３の実施の形態の表示装置について、前述した第１の実施の形態との相違点を中心に説明し、同様の事項については、その説明を省略する。
第３の実施の形態の表示装置は、補強部の構造が第１の実施の形態と異なっている。
図１２は、第３の実施の形態の表示装置を示す斜視図である。なお、図１２では、箱体４の図示を省略している。
第３の実施の形態の表示装置１ｂは、頂部３５に対応する形状の蓋体７を備えている。
【００３８】
この蓋体７は側部７１とつまみ７２とを備えている。図１２において側部７１は、頂部３５の開口に挿入されている。なお、図１２では、側部７１の形状を点線で示している。また、側部７１の上部に設けられたつまみ７２の大きさは、頂部３５の開口の大きさより大きく形成されており、蓋体７が内部空間内に落下しないように頂部３５により支持されている。
この蓋体７により、頂部３５の歪みを抑制することができる。
この第３の実施の形態の表示装置１ｂによれば、第１の実施の形態の表示装置１と同様の効果が得られる。
＜第４の実施の形態＞
次に、第４の実施の形態の表示装置について説明する。
以下、第４の実施の形態の表示装置について、前述した第１の実施の形態との相違点を中心に説明し、同様の事項については、その説明を省略する。
第４の実施の形態の表示装置は、箱体に補強部が設けられている点が第１の実施の形態と異なっている。
図１３は、第４の実施の形態の表示装置を示す斜視図である。
【００３９】
第４の実施の形態の表示装置１ｃが備える箱体４ａは、面４６の頂部３５の開口に対応する部位に、開口に対応する形状の四角柱４７を備えている。四角柱４７は、例えば接着により面４６に取り付けられている。
四角柱４７の側面の一部が頂部３５の開口に挿入されている。四角柱４７の側面により、頂部３５の歪みを抑制することができる。
この第４の実施の形態の表示装置１ｃによれば、第１の実施の形態の表示装置１と同様の効果が得られる。
【００４０】
以上、本発明の表示装置を、図示の実施の形態に基づいて説明したが、本発明はこれに限定されるものではなく、各部の構成は、同様の機能を有する任意の構成のものに置換することができる。例えば、構造体の形状が多角錐状であってもよい。また、箱体に補強部と同様の機能を備える物が設けられていてもよい。例えば、箱体の上部を折り曲げることにより、補強部を形成するようにしてもよい。
また、本発明に、他の任意の構成物や工程が付加されていてもよい。
【００４１】
また、本発明は、前述した各実施の形態のうちの、任意の２以上の構成（特徴）を組み合わせたものであってもよい。例えば、基部２と構造体６とを備える表示装置であってもよい。
【符号の説明】
【００４２】
１、１ａ、１ｂ、１ｃ  表示装置
２、２ａ  基部
３、６、３０、４０、６０  構造体
４、４ａ  箱体
１０  電子機器
１１〜１４  画像
１５、３５  頂部
２１  切り欠き部
２２〜２５  開口部
３１〜３４、６１〜６４  側部
３６  補強部
４１〜４４  底辺
４５、５１〜５４、６６  突起
４６  面
４７  四角柱
７  蓋体
【図１】
2016114875.tif 000003
【図２】
2016114875.tif 000004
【図３】
2016114875.tif 000005
【図４】
2016114875.tif 000006
【図５】
2016114875.tif 000007
【図６】
2016114875.tif 000008
【図７】
2016114875.tif 000009
【図８】
2016114875.tif 000010
【図９】
2016114875.tif 000011
【図１０】
2016114875.tif 000012
【図１１】
2016114875.tif 000013
【図１２】
2016114875.tif 000014
【図１３】
2016114875.tif 000015
【図１４】
2016114875.tif 000016
【図１５】
2016114875.tif 000017